(57)【特許請求の範囲】
【請求項１】
クラッチを介してエンジンと機械的に連結され、エンジンの動力により駆動されるコンプレッサーと、
エバポレーターの下流にヒーターコアを配置し、ヒーターコアを通過する空気とヒーターコアを迂回する空気との割合を変えて車室内への吹き出し風温度を調節可能な車室内空調ユニットと、
少なくとも車室内温度設定値、車室内温度、外気温および日射量に基づいて目標吹き出し風温度を演算する演算手段と、
エバポレーター通過後の空気温度を検出する検出手段と、
目標吹き出し風温度とエバポレーター通過後の空気温度とに基づいてコンプレッサーの運転と停止とを決定するコンプレッサー制御パターンを有し、このコンプレッサー制御パターンにしたがってコンプレッサーのクラッチを開閉するコンプレッサー制御手段と、
停車時にコンプレッサーが停止されると、エンジン制御装置に対してエンジン停止を要求するエンジン停止要求手段とを備えた車両用空調装置であって、
前記コンプレッサー制御手段は、停車時にコンプレッサーを停止するエバポレーター通過後の空気温度が、走行時にコンプレッサーを運転するエバポレーター通過後の空気温度よりも高いコンプレッサー制御パターンを有することを特徴とする車両用空調装置。
【請求項２】
クラッチを介してエンジンと機械的に連結され、エンジンの動力により駆動されるコンプレッサーと、
エバポレーターの下流にヒーターコアを配置し、ヒーターコアを通過する空気とヒーターコアを迂回する空気との割合を変えて車室内への吹き出し風温度を調節可能な車室内空調ユニットと、
少なくとも車室内温度設定値、車室内温度、外気温および日射量に基づいて目標吹き出し風温度を演算する演算手段と、
エバポレーター通過後の空気温度を検出する検出手段と、
目標吹き出し風温度とエバポレーター通過後の空気温度とに基づいてコンプレッサーの運転と停止とを決定するコンプレッサー制御パターンを有し、このコンプレッサー制御パターンにしたがってコンプレッサーのクラッチを開閉するコンプレッサー制御手段と、
停車時にコンプレッサーが停止されると、エンジン制御装置に対してエンジン停止を要求するエンジン停止要求手段とを備えた車両用空調装置であって、
走行時と停車時とで異なるコンプレッサー制御パターンを設定し、目標吹き出し風温度が所定値を超える範囲でのみ、停車時にコンプレッサーを停止するエバポレーター通過後の空気温度が、走行時にコンプレッサーを運転するエバポレーター通過後の空気温度よりも高いコンプレッサー制御パターンを有することを特徴とする車両用空調装置。
【請求項３】
請求項１または請求項２に記載の車両用空調装置において、
停車時のコンプレッサー制御パターンは、目標吹き出し風温度が所定値を超える範囲では、コンプレッサーの運転と停止とを決定するエバポレーター通過後の空気温度が目標吹き出し風温度に比例して増加する制御パターンとし、走行時のコンプレッサー制御パターンは、コンプレッサーの運転と停止とを決定するエバポレーター通過後の空気温度が目標吹き出し風温度と無関係に一定な制御パターンを有することを特徴とする車両用空調装置。
【発明の詳細な説明】
【０００１】
【発明の属する技術分野】
本発明は、エンジンの動力によりコンプレッサーを駆動する車両用空調装置に関する。
【０００２】
【従来の技術】
エンジンの動力によりコンプレッサーを駆動する圧縮冷凍サイクルを備えた車両用空調装置が知られている。この種の車両用空調装置では、エバポレーター通過後の空気温度に基づいてコンプレッサーの運転と停止を制御している。
【０００３】
また、燃料消費率（以下、燃費という）を向上させるために、停車時にエンジンのアイドリング運転を停止する車両が知られている。
【０００４】
【発明が解決しようとする課題】
しかしながら、エンジンの動力によりコンプレッサーを駆動する空調装置を搭載した車両では、停車時にコンプレッサーを運転すべき条件が満たされていると、直ちにエンジンのアイドリング運転を停止することができなくなり、その分だけ燃費が悪化するという問題がある。
【０００５】
本発明の目的は、エンジンのアイドリング停止時間を長くして燃料消費率の向上を図ることにある。
【０００６】
【課題を解決するための手段】
一実施の形態のコンプレッサー制御パターンを示す図２に対応づけて本発明を説明すると、請求項１の発明は、クラッチを介してエンジンと機械的に連結され、エンジンの動力により駆動されるコンプレッサーと、エバポレーターの下流にヒーターコアを配置し、ヒーターコアを通過する空気とヒーターコアを迂回する空気との割合を変えて車室内への吹き出し風温度を調節可能な車室内空調ユニットと、少なくとも車室内温度設定値、車室内温度、外気温および日射量に基づいて目標吹き出し風温度Ｔoを演算する演算手段と、エバポレーター通過後の空気温度Ｔintを検出する検出手段と、目標吹き出し風温度Ｔoとエバポレーター通過後の空気温度Ｔintとに基づいてコンプレッサーの運転と停止とを決定するコンプレッサー制御パターンを有し、このコンプレッサー制御パターンにしたがってコンプレッサーのクラッチを開閉するコンプレッサー制御手段と、停車時にコンプレッサーが停止されると、エンジン制御装置に対してエンジン停止を要求するエンジン停止要求手段とを備えた車両用空調装置であって、コンプレッサー制御手段は、停車時にコンプレッサーを停止するエバポレーター通過後の空気温度Ｔint（▲２▼の実線で示す）が、走行時にコンプレッサーを運転するエバポレーター通過後の空気温度Ｔint（▲１▼の破線で示す）よりも高いコンプレッサー制御パターンを有する。
請求項２の発明は、クラッチを介してエンジンと機械的に連結され、エンジンの動力により駆動されるコンプレッサーと、エバポレーターの下流にヒーターコアを配置し、ヒーターコアを通過する空気とヒーターコアを迂回する空気との割合を変えて車室内への吹き出し風温度を調節可能な車室内空調ユニットと、少なくとも車室内温度設定値、車室内温度、外気温および日射量に基づいて目標吹き出し風温度Ｔoを演算する演算手段と、エバポレーター通過後の空気温度Ｔintを検出する検出手段と、目標吹き出し風温度Ｔoとエバポレーター通過後の空気温度Ｔintとに基づいてコンプレッサーの運転と停止とを決定するコンプレッサー制御パターンを有し、このコンプレッサー制御パターンにしたがってコンプレッサーのクラッチを開閉するコンプレッサー制御手段と、停車時にコンプレッサーが停止されると、エンジン制御装置に対してエンジン停止を要求するエンジン停止要求手段とを備えた車両用空調装置であって、走行時と停車時とで異なるコンプレッサー制御パターンを設定し、目標吹き出し風温度Ｔoが所定値Ｔo２を超える範囲でのみ、停車時にコンプレッサーを停止するエバポレーター通過後の空気温度Ｔint（▲２▼の実線で示す）が、走行時にコンプレッサーを運転するエバポレーター通過後の空気温度Ｔint（▲１▼の破線で示す）よりも高いコンプレッサー制御パターンを有する。
また、請求項３の車両用空調装置は、停車時のコンプレッサー制御パターン（図２の▲２▼）を、目標吹き出し風温度Ｔoが所定値Ｔo１を超える範囲では、コンプレッサーの運転と停止とを決定するエバポレーター通過後の空気温度Ｔintが目標吹き出し風温度Ｔoに比例して増加する制御パターンとし、走行時のコンプレッサー制御パターン（図２の▲１▼）を、コンプレッサーの運転と停止とを決定するエバポレーター通過後の空気温度Ｔintが目標吹き出し風温度Ｔoと無関係に一定な制御パターンを有するものである。
【０００７】
上述した課題を解決するための手段の項では、説明を分かりやすくするために一実施の形態の図を用いたが、これにより本発明が一実施の形態に限定されるものではない。
【０００８】
【発明の効果】
請求項１の発明によれば、コンプレッサー制御手段は、停車時にコンプレッサーを停止するエバポレーター通過後の空気温度が、走行時にコンプレッサーを運転するエバポレーター通過後の空気温度よりも高いコンプレッサー制御パターンを有するので、エアコン以外にエンジンの運転要求がない限り、停車したらエンジンが直ちに停止されることになり、その分だけ燃費を向上させることができる。
請求項２の発明によれば、走行時と停車時とで異なるコンプレッサー制御パターンを設定し、目標吹き出し風温度が所定値を越える範囲でのみ、停車時にコンプレッサーを停止するエバポレーター通過後の空気温度が、走行時にコンプレッサーを運転するエバポレーター通過後の空気温度よりも高いコンプレッサー制御パターンを有するので、目標吹き出し風温度が所定値を越えない、乗員が比較的低い吹き出し風温度を望んでいる時には、停車時に必ずコンプレッサーが停止されるわけではないので、乗員の快適性が向上する。
請求項３の発明によれば、停車時のコンプレッサー制御パターンは、目標吹き出し風温度が所定値を超える範囲では、コンプレッサーの運転と停止を決定するエバポレーター通過後の空気温度が目標吹き出し風温度に比例して増加する制御パターンとし、走行時のコンプレッサー制御パターン、コンプレッサーの運転と停止を決定するエバポレーター通過後の空気温度が目標吹き出し風温度と無関係に一定な制御パターンを有するので、走行時には、コンプレッサーが連続運転される時間が長くなり、エンジンに対する負荷変動を軽減して燃費を改善することができる。一方、停車時には、コンプレッサーが断続運転される時間が長くなり、エンジンの運転時間が短縮されて燃費を改善することができる。
【０００９】
【発明の実施の形態】
本発明をエンジンおよび／またはモーターの駆動力により走行するハイブリッド車両に応用した一実施の形態を説明する。なお、本発明はハイブリッド車両に限定されず、エンジンの動力によりコンプレッサーを駆動する空調装置を搭載した、従来のエンジン車両に対しても適用することができる。
【００１０】
図１は一実施の形態の構成を示す。
コンプレッサー１はマグネットクラッチ２を介してエンジン３に機械的に連結されており、マグネットクラッチ２をオン、オフ制御することによってコンプレッサー１の運転、停止を行う。コンプレッサー１で圧縮された冷媒はコンデンサー４で冷却され、エバポレーター５で車室内の空気と熱交換を行って車室内を冷房する。コンプレッサー１、コンデンサー４およびエバポレーター５は、空調装置の圧縮冷凍サイクルを構成する。なお、圧縮冷凍サイクルにはリキッドタンクなどの他の機器が含まれているが、本発明と直接に関係しないのでそれらの図示と説明を省略する。
【００１１】
一方、エンジン３の冷却水は、ラジエーター６とバルブ７を通って循環し、ラジエーター６で車両の走行風圧またはブロアファン８により冷却されるとともに、電動ウオーターポンプ９とヒーターコア１０を通って循環し、車室内を暖房する。
【００１２】
エアコンコントローラー１１はマイクロコンピューターとその周辺部品から構成され、空調装置を駆動制御する。また、車両コントローラー１２はマイクロコンピューターとその周辺部品から構成され、ハイブリッド車両の統括制御を行う。さらに、エンジンコントローラー１３はマイクロコンピューターとその周辺部品から構成され、エンジン３の燃料噴射制御、トルク制御、回転速度制御、点火制御などを行う。コントローラー１１〜１３は通信装置により相互に通信を行う。
【００１３】
エアコンコントローラー１１には、エバポレーター５を通過した後の空気温度Ｔintを検出するセンサー１４と、内気温センサー、外気温センサー、日射センサーなどの他のセンサー類（不図示）と、ファンモーター、吹き出し口開閉用アクチュエーター、エアーミックスドア駆動用アクチュエーターなどのアクチュエーター類（不図示）が接続される。エアコンコントローラー１１にはまた、自動空調モードでエアコンを運転するためのオートエアコンスイッチ１５、エアコン運転を優先させるためのフルエアコンスイッチ１６およびエアコン運転を停止するためのエアコンオフスイッチ１７が接続される。
【００１４】
車両コントローラー１２には、エンジン停止時にエンジン冷却水をヒータコア１０へ循環させる電動ウオーターポンプ９、車速Ｖを検出するセンサー１８、圧縮冷凍サイクルを循環する冷媒の圧力Ｐdを検出するセンサー１９、エンジン３の冷却水温Ｔwを検出するセンサー２０、走行用モーターを駆動するための高圧バッテリー（不図示）の充電状態を検出するセンサー２１、上述したコンプレッサー用マグネットクラッチ２などが接続される。
【００１５】
エンジンコントローラー１３は、停車時にエンジン３のアイドリング運転を停止する、いわゆるアイドリングストップ制御を行う。ただし、車室内を冷房するためにコンプレッサー１を駆動する必要がある場合、車室内を暖房するときにエンジン冷却水温Ｔwが低過ぎてエンジン３の暖機運転が必要な場合、走行用モーターへ高圧電力を供給する高圧バッテリー（不図示）の充電状態ＳＯＣ（State Of Charge）が低下した場合などには、停車時でもエンジン３を運転する。
【００１６】
なお、車室内には空調風を生成する空調ユニットが設置される。この空調ユニット内には、上流から順に内気または外気を取り込むためのドアと、ユニット内に空調風を送るブロアファンと、空調風を冷却するエバポレーターと、空調風を暖めるヒーターコアと、ヒーターコアを通過する空気とヒーターコアを迂回する空気との割合を調節するエアミックスドアと、ヒーターコアを通過した空気とヒーターコアを迂回した空気とを混合するエアーミックスチャンバーとが設置される。このような車室内の空調ユニットについては公知であり、図示と詳細な説明を省略する。
【００１７】
図２は一実施の形態のコンプレッサー制御パターンを示し、図３は停車直後のコンプレッサーの制御結果を示す。
この実施の形態では、図２に示すように、目標吹き出し風温度Ｔoとエバポレーター通過後の空気温度Ｔintとに基づいて、走行時と停車時とで異なるコンプレッサー制御パターンを設定する。図２において、エバポレーター通過後の空気温度Ｔint１〜Ｔint３は、
【数１】
Ｔint１＜Ｔint２＜Ｔint３
の関係にあるとする。
【００１８】
ここで、目標吹き出し風温度Ｔoは、車室内のフット吹き出し口、ベント吹き出し口、デフロスター吹き出し口などの吹き出し口から吹き出される空調風の温度であり、エアーミックスドア（不図示）の開度Ｘmに応じて変化する。目標吹き出し風温度Ｔoは、エアコンコントローラー１１により車室内温度設定値Ｔptc、車室内温度Ｔinc、外気温Ｔamb、日射量Ｑsunなどに基づいて演算される。この目標吹き出し風温度Ｔoの演算方法については多くの文献が紹介されており、本発明と直接関係しないので説明を省略する。
【００１９】
また、車両の走行状態と停車状態の判定は、センサー１８により検出された車速Ｖが所定値Ｖ１（Ｖ１は０近傍の値）以下の時に停車状態とし、車速Ｖが所定値Ｖ１を越える場合に走行状態とする。
【００２０】
車両が走行している時には、図２に▲１▼で示す制御パターンにしたがってコンプレッサー１の運転（on-破線）と停止（OFF-実線）を行う。つまり、目標吹き出し風温度Ｔoに拘わらず、エバポレーター５を通過した空気温度Ｔintが所定値Ｔint２を越えるとマグネットクラッチ２をオンしてコンプレッサー１を運転し、車室内を冷房する。また、エバポレーター５を通過した空気が所定値Ｔint１以下になるとマグネットクラッチ２をオフしてコンプレッサー１を停止する。
【００２１】
一方、車両が停止している時には、図２に▲２▼で示す制御パターンにしたがってコンプレッサー１の運転（on-破線）と停止（OFF-実線）を行い、コンプレッサー１の運転、停止に応じてエンジン３のアイドリングストップ制御を行う。
【００２２】
目標吹き出し風温度Ｔoが所定値Ｔo１以下では、目標吹き出し風温度Ｔoに拘わらず、エバポレーター５を通過した空気温度Ｔintが所定値Ｔint３を越えると、マグネットクラッチ２をオンしてコンプレッサー１を運転する。この時、エンジン３が停止している場合にはエンジン３を始動する。また、エバポレーター通過後の空気温度Ｔintが所定値Ｔint１以下になると、マグネットクラッチ２をオフしてコンプレッサー１を停止する。この時、エアコン以外のエンジン運転要求がなければエンジン３を停止する。
【００２３】
目標吹き出し風温度Ｔoが所定値Ｔo１を越える範囲では、コンプレッサー１の運転と停止を決定するエバポレータ通過後の空気温度Ｔint１、Ｔint３が目標吹き出し風温度Ｔoに比例して増加する。そして、エバポレータ通過後の空気温度Ｔintが目標吹き出し風温度Ｔoに応じた温度Ｔint３を越えると、マグネットクラッチ２をオンしてコンプレッサー１を運転する。この時、エンジン３が停止している場合にはエンジン３を始動する。また、エバポレータ通過後の空気温度Ｔintが目標吹き出し風温度Ｔoに応じた温度Ｔint１以下になると、マグネットクラッチ２をオフしてコンプレッサー１を停止する。この時、エアコン以外のエンジン運転要求がなければエンジン３を停止する。
【００２４】
この実施の形態によれば、車両が停止している時には、エアコン以外のエンジン運転要求、例えば上述した暖房時のエンジン冷却水温低下時や高圧バッテリーの充電状態低下時などによるエンジン運転要求がなければ、コンプレッサー１の運転開始時にエンジン３を始動し、コンプレッサー１の停止時にエンジン３も停止する。エアコン以外のエンジン運転要求があればその要求にしたがってエンジン３の運転と停止を行う。
【００２５】
したがって、エアコン以外のエンジン運転要求がない場合には、次のようなコンプレッサー制御結果が得られる。
この実施の形態では、図２に示すように、目標吹き出し風温度Ｔoが所定値Ｔo２を越える範囲では、停車時のコンプレッサー停止温度（▲２▼の実線）が、走行時のコンプレッサー運転温度（▲１▼の破線）よりも高くなるコンプレッサー制御パターンを設定している。これにより、図３に示すように、時刻ｔ１において停車すると、目標吹き出し風温度Ｔoが所定値Ｔo２を越えている時には必ずコンプレッサー１が停止され、それにともなってエンジン３も停止する。つまり、エアコン以外にエンジンの運転要求がない限り、停車したらエンジンが直ちに停止されることになり、その分だけ燃費を向上させることができる。
【００２６】
通常の車両の運行パターンにおいては、信号待ちなどで短時間停車する場合が多い。目標吹き出し風温度Ｔoが所定値Ｔo２を越えている時には、このような短時間の停車が行われるたびに、停車直後にエンジンがいったん停止されることになり、燃費の改善効果が大きい。
【００２７】
また、この実施の形態では、走行時と停車時とで異なるコンプレッサー制御パターンを設定した。すなわち、走行時の制御パターンは、コンプレッサーの運転と停止を決定するエバポレーター通過後の空気温度Ｔintが目標吹き出し温度Ｔoに無関係に一定な制御パターンとし、停車時の制御パターンは、エバポレーター通過後の空気温度を目標吹き出し温度Ｔoに比例して増加する制御パターンとした。このようなコンプレッサー制御パターンを設定したことにより、走行時には、コンプレッサーが連続運転される時間が長くなり、エンジンに対する負荷変動を軽減して燃費を改善することができる。また、停車時には、コンプレッサーが断続運転される時間が長くなり、エンジンの運転時間が短縮されて燃費を改善することができる。
【００２８】
なお、目標吹き出し風温度Ｔoが所定値Ｔo２を越える範囲において、停車時のコンプレッサー停止温度（▲２▼の実線）が走行時のコンプレッサー運転温度（▲１▼の破線）よりも高くなる、上記一実施の形態のコンプレッサー制御パターンを設定しない場合には、図３に破線で示すように、停車直後にコンプレッサー１が運転されることになり、その分だけ燃費が悪くなる。
【００２９】
図４は、一実施の形態のコンプレッサー制御プログラムを示すフローチャートである。
エアコンコントローラー１１は、オートエアコンスイッチ１５、フルエアコンスイッチ１６およびエアコンオフスイッチ１７の操作にしたがってこの制御プログラムを実行する。オートエアコンスイッチ１５が操作された場合には、ステップ１からコンプレッサー制御を開始し、ステップ２で目標吹き出し風温度Ｔoを演算するとともに、センサー１４によりエバポレーター通過後の空気温度Ｔintを検出する。
【００３０】
ステップ３において、車速ＶがＶ１以上か、つまり車両が走行中であるか否かを確認し、走行中の場合はステップ４へ進み、停車中の場合はステップ５へ進む。走行中の場合には、ステップ４で、上述した図２の▲１▼に示す走行時の制御パターンにしたがってコンプレッサー１の運転と停止を制御する。一方、停車中の場合には、ステップ５で、図２の▲２▼に示す停車時の制御パターンにしたがってコンプレッサー１の運転と停止を制御する。
【００３１】
その後、ステップ６で車速Ｖが所定値Ｖ２（例えば３０km/h）以上か否かを判別し、所定値Ｖ２以上の場合はステップ７へ進む。ハイブリッド車両では、通常、車速Ｖが高い時はエンジンの駆動力により走行する。エンジンの駆動力により高速で走行している時には冷却水温Ｔwが高く、ステップ７で、エンジン３の冷却水をヒーターコア１０へ導いて通常のヒーター制御を行う。一方、車速Ｖが所定値Ｖ２未満の場合にはステップ８へ進み、エンジン冷却水温Ｔwが所定値Ｔｗ１以上か否かを確認する。エンジン冷却水温Ｔwが所定値Ｔw１以上の時はステップ９へ進み、低速ではエンジン３を停止してモーターの駆動力により走行しているため、電動ウオーターポンプ９によりエンジン冷却水をヒーターコア１０へ導き、暖房を行う。なお、車速Ｖが所定値Ｖ２未満で、且つエンジン冷却水温Ｔwが所定値Ｔw１未満の場合はステップ１０へ進み、暖房用熱源を確保するためにエンジン３を始動して暖機運転を開始する。
【００３２】
フルエアコンスイッチ１６が操作された場合には、ステップ１１からコンプレッサー制御を開始し、ステップ１２で目標吹き出し風温度Ｔoを演算するとともに、センサー１４によりエバポレーター通過後の空気温度Ｔintを検出する。その後ステップ４へ進み、上述した走行時のコンプレッサー制御を実行する。また、エアコンオフスイッチ１７が操作された場合には、ステップ１３からヒーター制御を開始する。
【００３３】
《コンプレッサー制御パターンの変形例》
コンプレッサー１の制御パターンを図５に示すパターンとしてもよい。図５のパターンでは、目標吹き出し風温度Ｔoが所定値Ｔo３を越えたら、走行時▲１▼と停車時▲２▼におけるコンプレッサーの運転、停止を決定するためのエバポレーター通過後の空気温度Ｔint４〜Ｔint７を、目標吹き出し風温度Ｔoに比例して同一の割合で増加させる。ここで、空気温度Ｔint４〜Ｔint７は、
【数２】
Ｔint４＜Ｔint５＜Ｔint６＜Ｔint７
の関係にあり、停車時のコンプレッサー停止温度（▲２▼の実線）が走行時のコンプレッサー運転温度（▲１▼の破線）よりも高い。
【００３４】
この制御パターンによれば、図２に示す制御パターンによる効果に加え、ハイブリッド車両のモーターによる走行中にコンプレッサーが断続運転され、それにともなってエンジンのアイドリングが停止される時間が長くなって燃費が改善されるという効果が得られる。
【００３５】
以上の一実施の形態の構成において、エアコンコントローラー１１が演算手段、コンプレッサー制御手段およびエンジン停止要求手段を、車両コントローラー１２およびエンジンコントローラー１３がエンジン制御装置をそれぞれ構成する。
【図面の簡単な説明】
【図１】  一実施の形態の構成を示す図である。
【図２】  コンプレッサーの制御パターンを示す図である。
【図３】  一実施の形態による停車後のコンプレッサーの制御結果を示す図である。
【図４】  一実施の形態のコンプレッサー制御を示すフローチャートである。
【図５】  コンプレッサーの制御パターンの変形例を示す図である。
【符号の説明】
１  コンプレッサー
２  マグネットクラッチ
３  エンジン
４  コンデンサー
５  エバポレーター
６  ラジエーター
７  バルブ
８  ブロアファン
９  電動ウオーターポンプ
１０  ヒーターコア
１１  エアコンコントローラー
１２  車両コントローラー
１３  エンジンコントローラー
１５  オートエアコンスイッチ
１６  フルエアコンスイッチ
１７  エアコンオフスイッチ
１８  車速センサー
１９  冷媒圧力センサー
２０  エンジン冷却水温センサー
２１  充電状態センサー
【図１】
0003656439.tif 000002
【図２】
0003656439.tif 000003
【図３】
0003656439.tif 000004
【図４】
0003656439.tif 000005
【図５】
0003656439.tif 000006